(57)【要約】【課題】ＩＰ電話網でなりわけサービスを経済的に提供するなりわけ装置及びなりわけ方法を提供する。【解決手段】発ＩＤとリンガと着信表示音を記憶したデータベース（１１ｄ）と、発側端末（１５）のＩＤとデータベース（１１ｄ）に格納されているＩＤとを比較してなりわけサービスを行うか否かを判定する判定機能部（１１ａ）と、発側端末（１５）のＩＤに応じてリンガ又は着信表示音を選択する選択機能部（１１ｂ）と、選択されたリンガ又は着信表示音を着側端末（１６）に送出するリンガ送出機能部１３ａ、着信表示音送出機能部１４ａと、ユーザがなりわけを設定するためのカスタマコントロール機能部（１１ｃ）とをＩＰ網内に分散して備え、更に網内の機能を集約して他のサービスとも共用可能となることを特徴とする。【選択図】図１
2010263309.tif 000002
【特許請求の範囲】
【請求項１】
ＩＰ電話網で端末装置のリンガ又は着信表示音のなりわけサービスを行うなりわけシステムであって、発側端末装置からの発呼が着側端末装置に着呼する際に、
サービス対象の発側端末装置のＩＤと該ＩＤと関連づけられたリンガの種別又は着信表示音の種別とを記憶するデータベースと、前記発側端末装置のＩＤと前記データベースに格納されているＩＤとを比較してなりわけを行うか否かを判定する判定手段と、ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段とを有するメディアゲートウェイコントローラ（ＭＧＣ）と、
前記なりわけのリンガの制御指示を受信して前記選択されたリンガを前記着側端末装置に送出するリンガ送出手段を有するメディアゲートウェイと、
前記なりわけの着信表示音の制御指示を受信して前記選択された着信表示音を前記着側端末装置に送出する着信表示音送出手段を有するメディアサーバと、
を備えることを特徴とするなりわけシステム。
【請求項２】
前記ＭＧＣは、前記端末装置から予め設定された特定番号の受信に応答して、前記ＩＤ、リンガの種別又は着信表示音の種別に関する前記データベースの登録、削除、又は登録の照会を制御するカスタマコントロール（カスコン）手段を更に有することを特徴とする、請求項１に記載のなりわけシステム。
【請求項３】
前記ＭＧＣは、前記端末装置から予め設定された特定番号の受信に応答して、前記メディアサーバに対して、前記ＩＤ、リンガの種別又は着信表示音の種別に関する前記データベースの登録、削除、又は登録の照会を補助するためのガイダンスを送出するよう制御指示を発生することを特徴とする、請求項２に記載のなりわけシステム。
【請求項４】
前記カスコン手段は、前記端末装置から予め設定された特定番号を受信した後、プッシュボタン、ダイヤルパルス、及び音声のいずれか又は組み合わせによって制御することを特徴とする、請求項２又は３に記載のなりわけシステム。
【請求項５】
前記端末装置からのアクセスに応答して、前記ＭＧＣと通信し、前記ＩＤ、リンガの種別又は着信表示音の種別に関する前記データベースの登録、削除、又は登録の照会を制御するカスタマコントロール（カスコン）手段を有するサーバを更に備えることを特徴とする、請求項１に記載のなりわけシステム。
【請求項６】
前記メディアサーバは、前記端末装置から予め設定された特定番号の受信に応答して、前記ＩＤ、リンガの種別又は着信表示音の種別に関する前記データベースの登録、削除、又は登録の照会を制御するカスタマコントロール（カスコン）手段と、ＰＢ信号又はＤＰ信号を受信して接続に適した情報に翻訳するＰＢ／ＤＰ受信翻訳手段とを更に有することを特徴とする、請求項１に記載のなりわけシステム。
【請求項７】
ＩＰ電話網で端末装置のリンガ又は着信表示音のなりわけサービスを行うなりわけシステムであって、発側端末装置からの発呼が着側端末装置に着呼する際に、
複数の前記端末装置を収容するメディアゲートウェイと、
サービス対象の発側端末装置のＩＤと該ＩＤと関連づけられたリンガの種別又は着信表示音の種別とを記憶するデータベースと、
前記発側端末装置のＩＤと前記データベースに格納されているＩＤとを比較してなりわけを行うか否かを判定する判定手段を有する判定サーバと、
ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段を有する選択サーバと、
前記なりわけのリンガの制御指示を受信して前記選択されたリンガを前記着側端末装置に送出するリンガ送出手段を備えるリンガ送出サーバと、
前記なりわけの着信表示音の制御指示を受信して前記選択された着信表示音を前記着側端末装置に送出する着信表示音送出手段を有する着信表示音送出サーバと、
前記データベースと、前記判定サーバと、前記選択サーバと、前記リンガ送出サーバと、前記着信表示音送出サーバと通信し、なりわけの制御を行うディアゲートウェイコントローラと、
を備えることを特徴とするなりわけシステム。
【請求項８】
サービス対象の発側端末装置のＩＤと該ＩＤと関連づけられたリンガの種別又は着信表示音の種別とを記憶するデータベースと、前記発側端末装置のＩＤと前記データベースに格納されているＩＤとを比較してなりわけを行うか否かを判定する判定手段と、ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段とを有するメディアゲートウェイコントローラ（ＭＧＣ）と、前記なりわけのリンガの制御指示を受信して前記選択されたリンガを着側端末装置に送出するリンガ送出手段を有するメディアゲートウェイと、前記なりわけの着信表示音の制御指示を受信して前記選択された着信表示音を前記着側端末装置に送出する着信表示音送出手段を有するメディアサーバとを備えるなりわけシステムにて、前記ＭＧＣにより、ＩＰ電話網で端末装置のリンガ又は着信表示音のなりわけサービスを制御するなりわけ方法であって、前記発側端末装置からの発呼が前記着側端末装置に着呼する際に、
前記ＭＧＣの制御手順が、
前記発側端末装置の発呼に応答して、前記発側端末装置のＩＤと前記データベースに格納されているＩＤとを比較してなりわけを行うか否かを判定するステップと、
両ＩＤが一致してなりわけを行うと判定した場合に前記データベースを参照して該ＩＤに対応するなりわけのリンガ又は着信表示音を選択するステップと、
当該選択したなりわけのリンガ又は着信表示音に対応する制御指示を発生するステップと、
を含むことを特徴とするなりわけ方法。
【請求項９】
前記ＭＧＣの制御手順が、前記端末装置から予め設定された特定番号の受信に応答して、前記ＩＤ、リンガの種別又は着信表示音の種別に関する前記データベースの登録、削除、又は登録の照会を制御する制御ステップを更に含むことを特徴とする、請求項８に記載のなりわけ方法。
【請求項１０】
前記ＭＧＣの制御手順が、前記端末装置から予め設定された特定番号の受信に応答して、前記メディアサーバに対して、前記ＩＤ、リンガの種別又は着信表示音の種別に関する前記データベースの登録、削除、又は登録の照会を補助するためのガイダンスを送出するよう制御指示を発生するステップを更に含むことを特徴とする、請求項９に記載のなりわけ方法。
【請求項１１】
前記制御ステップは、前記端末装置から予め設定された特定番号を受信した後、プッシュボタン、ダイヤルパルス、及び音声のいずれか又は組み合わせによって制御することを特徴とする、請求項９又は１０に記載のなりわけ方法。
【請求項１２】
前記なりわけシステムは、前記ＩＤ、リンガの種別又は着信表示音の種別に関する前記データベースの登録、削除、又は登録の照会を制御するカスタマコントロール（カスコン）手段を有するサーバを更に備えており、該サーバにより、前記端末装置からのアクセスに応答して、前記ＭＧＣと通信し、前記データベースの登録、削除、又は登録の照会を制御することを特徴とする、請求項８に記載のなりわけ方法。
【請求項１３】
前記メディアサーバの制御手順は、
前記端末装置から予め設定された特定番号の受信に応答して、前記ＩＤ、リンガの種別又は着信表示音の種別に関する前記データベースの登録、削除、又は登録の照会を制御するステップと、
ＰＢ信号又はＤＰ信号を受信して接続に適した情報に翻訳するステップと、
を更に含むことを特徴とする、請求項８に記載のなりわけ方法。
【発明の詳細な説明】
【技術分野】
【０００１】
本発明は、ＩＰ（Ｉｎｔｅｒｎｅｔ  Ｐｒｏｔｏｃｏｌ）電話網でなりわけサービスを実現するなりわけ装置及びなりわけ方法に関するものである。より詳細には、本発明は、なりわけサービスに必要な機能をＩＰ網に分散して備えることによって、なりわけサービスを経済的に実現するなりわけ装置及びなりわけ方法に関するものである。
【背景技術】
【０００２】
電話サービスの一つである「なりわけサービス」は、契約ユーザが特定ユーザの情報（識別着信呼情報）を網に登録することにより、それ以降の特定ユーザからの着信時に、網が特定ユーザからの着信である旨の情報（識別情報）を通知する機能である（例えば、非特許文献１参照）。例えば、発側端末の電話番号に応じて予め設定された呼び出し音(リンガ)や着信表示音を着側端末で鳴動させることができる。このために、契約ユーザは、端末操作によって、特定ユーザからの着信を識別するための識別着信呼情報の登録、登録の解除、及び登録照会ができるようになっている。
【０００３】
なりわけサービスを実現するためには、発番号（発ＩＤ）、リンガ、着信表示音などが登録されたデータベース（ＤＢ）、発ＩＤとＤＢとを比較してなりわけを行うか否かを判定する判定機能、発ＩＤに応じてリンガ／着信表示音を選択する選択機能、選択されたリンガ／着信表示音などを着側端末に送出する送出機能、ユーザがなりわけを設定するためのカスタマコントロール（カスコン）機能が必要である。
【０００４】
従来の電話網においては、電話の呼制御の処理は、電話機が接続されている電話交換機で行われ、また、音声信号（ベアラ）は電話交換機内の通話路で転送される（例えば、非特許文献２参照）。そのため、上記のなりわけサービスを実現するため、必要な機能の全てが電話交換機内に備えられている。
【０００５】
一方、ＩＰ網においては、従来の電話網においては電話交換機に集約されていた呼制御機能、ベアラ転送機能は、それぞれメディアゲートウェイコントローラ（ＭＧＣ）と、電話機（端末）が接続されたメディアゲートウェイ（ＭＧ）とに分散して備えられている（例えば、非特許文献３参照）。このようなＩＰ網において、従来技術に従ってなりわけサービスを実現しようとする場合、電話機が接続されているＭＧに、なりわけサービスに必要な機能の全てを備えることになる。
【先行技術文献】
【非特許文献】
【０００６】
【非特許文献１】ＩＮＳネットワークサービスのインタフェース、第４分冊、レイヤ３回線交換付加サービス編、[２００９年３月２４日検索]、インターネット＜ＵＲＬ：ｈｔｔｐ：／／ｗｗｗ．ｎｔｔ−ｅａｓｔ．ｃｏ．ｊｐ／ＩＳＤＮ／ｔｅｃｈ／ｓｐｅｃ／ｉｎｘ４．ｈｔｍｌ＞
【非特許文献２】千葉正人監修、「改訂デジタル交換方式」、電子情報通信学会編、平成３年６月１０日、ｐ．１０４−１１５、１９２−２０２
【非特許文献３】ヘンリー・シンライチ（Ｈｅｎｒｙ  Ｓｉｎｎｒｅｉｃｈ）、アラン・ジョンストン（Ａｌａｎ  Ｂ．  Ｊｏｈｎｓｔｏｎ）共著、阪口克彦監訳、「マスタリングＴＣＰ／ＩＰ  ＳＩＰ編」、オーム社、平成１４年１０月２５日、ｐ．３１２−３１３
【発明の概要】
【発明が解決しようとする課題】
【０００７】
しかし、ＭＧになりわけサービス必要な機能の全てを備えるようにすると、ＩＰ網内に分散する全てのＭＧが同一の機能を有することになり、機能毎の集約を行えないために極めて不経済であるばかりでなく、ＭＧＣとＭＧとの間で信号のやり取りが増加して処理負荷が増大するという問題が生じる。
【０００８】
そこで、本発明の目的は、ＩＰ網でのなりわけサービスを実現するために必要な機能をＩＰ網内に分散して備え、更に網内の機能を集約して他のサービスとも共用することによって、なりわけサービスを経済的に提供するなりわけ装置及びなりわけ方法を提供することにある。
【課題を解決するための手段】
【０００９】
上記課題を解決するために、本発明によるＩＰ電話網で端末装置のリンガ又は着信表示音のなりわけサービスを行うなりわけシステムは、発側端末装置からの発呼が着側端末装置に着呼する際に、サービス対象の発側端末装置のＩＤ（識別番号）と該ＩＤと関連づけられたリンガの種別又は着信表示音の種別とを記憶するデータベースと、前記発側端末装置のＩＤと前記データベースに格納されているＩＤとを比較してなりわけを行うか否かを判定する判定手段と、ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段とを有するメディアゲートウェイコントローラ（ＭＧＣ）と、前記なりわけのリンガの制御指示を受信して前記選択されたリンガを前記着側端末装置に送出するリンガ送出手段を有するメディアゲートウェイと、前記なりわけの着信表示音の制御指示を受信して前記選択された着信表示音を前記着側端末装置に送出する着信表示音送出手段を有するメディアサーバとを備えることを特徴とする。
【００１０】
また、本発明によるなりわけシステムにおいて、前記ＭＧＣは、前記端末装置から予め設定された特定番号の受信に応答して、前記ＩＤ、リンガの種別又は着信表示音の種別に関する前記データベースの登録、削除、又は登録の照会を制御するカスタマコントロール（カスコン）手段を更に有することを特徴とする。
【００１１】
また、本発明によるなりわけシステムにおいて、前記ＭＧＣは、前記端末装置から予め設定された特定番号の受信に応答して、前記メディアサーバに対して、前記ＩＤ、リンガの種別又は着信表示音の種別に関する前記データベースの登録、削除、又は登録の照会を補助するためのガイダンスを送出するよう制御指示を発生することを特徴とする。
【００１２】
また、本発明によるなりわけシステムにおいて、前記カスコン手段は、前記端末装置から予め設定された特定番号を受信した後、ＰＢ（プッシュボタン）、ＤＰ（ダイヤルパルス）、及び音声のいずれか又は組み合わせによって制御することを特徴とする。
【００１３】
また、本発明によるなりわけシステムにおいて、前記端末装置からのアクセスに応答して、前記ＭＧＣと通信し、前記ＩＤ、リンガの種別又は着信表示音の種別に関する前記データベースの登録、削除、又は登録の照会を制御するカスタマコントロール（カスコン）手段を有するサーバを更に備えることを特徴とする。
【００１４】
また、本発明によるなりわけシステムにおいて、前記メディアサーバは、前記端末装置から予め設定された特定番号の受信に応答して、前記ＩＤ、リンガの種別又は着信表示音の種別に関する前記データベースの登録、削除、又は登録の照会を制御するカスタマコントロール（カスコン）手段と、ＰＢ（プッシュボタン）信号又はＤＰ（ダイヤルパルス）信号を受信して接続に適した情報に翻訳するＰＢ／ＤＰ受信翻訳手段とを更に有することを特徴とする。
【００１５】
また、本発明によるＩＰ電話網で端末装置のリンガ又は着信表示音のなりわけサービスを行うなりわけシステムは、リンガを制御するメディアゲートウェイと、着信表示音を制御するメディアサーバと、前記メディアゲートウェイと前記メディアサーバを制御するメディアゲートウェイコントローラ（ＭＧＣ）と、サービス対象の発側端末装置のＩＤと該ＩＤと関連づけられたリンガの種別又は着信表示音の種別とを記憶するデータベースと、前記発側端末装置のＩＤと前記データベースに格納されているＩＤとを比較してなりわけを行うか否かを判定する判定手段を有する判定サーバと、ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段を有する選択サーバと、前記なりわけのリンガの制御指示を受信して前記選択されたリンガを前記着側端末装置に送出するリンガ送出手段を備えるリンガ送出サーバと、前記なりわけの着信表示音の制御指示を受信して前記選択された着信表示音を前記着側端末装置に送出する着信表示音送出手段を有する着信表示音送出サーバとを分散して備えることを特徴とする。
【００１６】
本発明によるＩＰ電話網で端末装置のリンガ又は着信表示音のなりわけサービスを行うなりわけ方法は、サービス対象の発側端末装置のＩＤと該ＩＤと関連づけられたリンガの種別又は着信表示音の種別とを記憶するデータベースと、前記発側端末装置のＩＤと前記データベースに格納されているＩＤとを比較してなりわけを行うか否かを判定する判定手段と、ＩＤが一致してなりわけを行うと判定した場合に前記データベースを参照して該ＩＤに対応するなりわけのリンガ又は着信表示音を選択して該なりわけのリンガ又は着信表示音に対応する制御指示を発生する選択手段とを有するメディアゲートウェイコントローラ（ＭＧＣ）と、前記なりわけのリンガの制御指示を受信して前記選択されたリンガを着側端末装置に送出するリンガ送出手段を有するメディアゲートウェイと、前記なりわけの着信表示音の制御指示を受信して前記選択された着信表示音を前記着側端末装置に送出する着信表示音送出手段を有するメディアサーバとを備えるなりわけシステムにて、前記ＭＧＣにより、ＩＰ電話網で端末装置のリンガ又は着信表示音のなりわけサービスを制御するなりわけ方法であって、前記発側端末装置からの発呼が前記着側端末装置に着呼する際に、前記ＭＧＣの制御手順が、前記発側端末装置の発呼に応答して、前記発側端末装置のＩＤと前記データベースに格納されているＩＤとを比較してなりわけを行うか否かを判定するステップと、両ＩＤが一致してなりわけを行うと判定した場合に前記データベースを参照して該ＩＤに対応するなりわけのリンガ又は着信表示音を選択するステップと、当該選択したなりわけのリンガ又は着信表示音に対応する制御指示を発生するステップとを含むことを特徴とする。
【００１７】
また、本発明によるなりわけ方法において、前記ＭＧＣの制御手順が、前記端末装置から予め設定された特定番号の受信に応答して、前記ＩＤ、リンガの種別又は着信表示音の種別に関する前記データベースの登録、削除、又は登録の照会を制御する制御ステップを更に含むことを特徴とする。
【００１８】
また、本発明によるなりわけ方法において、前記ＭＧＣの制御手順が、前記端末装置から予め設定された特定番号の受信に応答して、前記メディアサーバに対して、前記ＩＤ、リンガの種別又は着信表示音の種別に関する前記データベースの登録、削除、又は登録の照会を補助するためのガイダンスを送出するよう制御指示を発生するステップを更に含むことを特徴とする。
【００１９】
また、本発明によるなりわけ方法において、前記制御ステップは、前記端末装置から予め設定された特定番号を受信した後、プッシュボタン、ダイヤルパルス、及び音声のいずれか又は組み合わせによって制御することを特徴とする。
【００２０】
また、本発明によるなりわけ方法において、前記なりわけシステムは、前記ＩＤ、リンガの種別又は着信表示音の種別に関する前記データベースの登録、削除、又は登録の照会を制御するカスタマコントロール（カスコン）手段を有するサーバを更に備えており、該サーバにより、前記端末装置からのアクセスに応答して、前記ＭＧＣと通信し、前記データベースの登録、削除、又は登録の照会を制御することを特徴とする。
【００２１】
また、本発明によるなりわけ方法において、前記メディアサーバの制御手順は、前記端末装置から予め設定された特定番号の受信に応答して、前記ＩＤ、リンガの種別又は着信表示音の種別に関する前記データベースの登録、削除、又は登録の照会を制御するステップと、ＰＢ信号又はＤＰ信号を受信して接続に適した情報に翻訳するステップとを更に含むことを特徴とする。
【発明の効果】
【００２２】
本発明によれば、なりわけサービスに必要な機能をＩＰ網内に分散して備え、なりわけの機能部間をＩＰで通信させることによって、網内の各機能を集約するとともに、他のサービスとも共用することによって、経済的ななりわけサービスを提供できる。
【図面の簡単な説明】
【００２３】
【図１】本発明による一実施例のなりわけシステムを示している。
【図２ａ】本発明による一実施例のリンガなりわけシステムの構成を示している。
【図２ｂ】本発明による一実施例のリンガなりわけのシーケンスを示している。
【図２ｃ】本発明による一実施例のリンガなりわけのデータベースを示している。
【図３ａ】本発明による一実施例の着信表示音なりわけシステムの構成を示している。
【図３ｂ】本発明による一実施例の着信表示音なりわけのシーケンスを示している。
【図３ｃ】本発明による一実施例の着信表示音なりわけのデータベースを示している。
【図４ａ】本発明による一実施例のカスコン動作システムの構成を示している。
【図４ｂ】本発明による一実施例のカスコン動作のシーケンスを示している。
【図４ｃ】本発明による一実施例のカスコン動作のデータベースを示している。
【図４ｄ】本発明による一実施例のカスコン動作のデータベースを示している。
【図５】従来の電話網におけるなりわけシステムの構成を示している。
【図６ａ】従来技術によるリンガなりわけシステムの構成を示している。
【図６ｂ】従来技術によるリンガなりわけのシーケンスを示している。
【図６ｃ】従来技術によるリンガなりわけのデータベースを示している。
【図７ａ】従来技術によるカスコン動作システムの構成を示している。
【図７ｂ】従来技術によるカスコン動作のシーケンスを示している。
【図７ｃ】従来技術によるカスコン動作のデータベースを示している。
【図７ｄ】従来技術によるカスコン動作のデータベースを示している。
【発明を実施するための形態】
【００２４】
本発明の理解を助けるために、まず従来技術によるなりわけシステムについて説明する。
【００２５】
図５に示すように、従来技術におけるなりわけシステム５０は、電話網に交換機５１及び５２、それらの交換機に接続された発信端末５３、着信端末５４が備えられている。上述のように、従来の交換機は、なりわけサービスに必要なＤＢ５１ｆ（５２ｆ）、判定機能部５１ｄ（５２ｄ）、リンガ又は着信表示音の選択機能部５１ｅ（５２ｅ）、リンガ送出機能部５１ａ（５２ａ）、着信表示音送出機能部５１ｂ（５２ｂ）、ガイダンス送出機能部５１ｃ（５２ｃ）、カスコン機能部５１ｇ（５２ｇ）、及び呼制御機能部５１ｈ（５２ｈ）の全てを備えている。
【００２６】
図６ａは、従来技術によるリンガなりわけシステム６０の構成を示しており、電話網に交換機６１及び６２、それらの交換機に接続された発信端末６３、着信端末６４が備えられている。また、なりわけサービスに必要なＤＢ６１ｆ（６２ｆ）、判定機能部６１ｄ（６２ｄ）、リンガ又は着信表示音の選択機能部６１ｅ（６２ｅ）、リンガ送出機能部６１ａ（６２ａ）、呼制御機能部６１ｂ（６２ｂ）、オフフック検出機能部６１ｃ（６２ｃ）を備えている。
【００２７】
図６ｂは、リンガなりわけのシーケンスを示している。ここで、従来技術によるリンガなりわけ動作について説明する。
【００２８】
まず、ステップＳ６０１にて、発側端末６３からの発呼が着側端末６４が接続された交換機６２に着呼する。
【００２９】
次に、ステップＳ６０２にて、交換機６２は判定機能部６２ｄにより、発ＩＤ（＃Ａ）と、図６ｃに例示するＤＢ６２ｆに格納されている発ＩＤとを比較して、なりわけを行うか否かを判定する。
【００３０】
ステップＳ６０２にてＩＤが一致してなりわけを行うと判定した場合、ステップＳ６０３にて、交換機６２は選択機能部６２ｅにより、ＤＢ６２ｆを参照して発ＩＤ（＃Ａ）に対応するなりわけのリンガ（ＰＴ１）を選択する。
【００３１】
続いて、ステップＳ６０４にて、交換機６２はリンガ送出機能部６２ａにより、選択されたなりわけのリンガ（ＰＴ１）を着側端末６４に送出する。
【００３２】
その後、ステップＳ６０５にて、交換機６２はオフフック検出機能部６２ｃにより、ユーザのオフフックを検出するとリンガを停止する。
【００３３】
最後に、ステップＳ６０６にて、交換機６２は呼制御機能部６２ｂにより、発側端末６３と着側端末６４との間に通話パスを設定し、通話が可能となる。
【００３４】
図７ａは、従来技術によるカスコン動作システム７０の構成を示しており、電話網に交換機７１及びその交換機に接続された着側端末７２が備えられている。また、交換機７１は、カスコン動作に必要な呼制御機能部７１ａ、プッシュボタン（ＰＢ）／ダイヤルパルス（ＤＰ）受信翻訳機能部７１ｂ、カスコン機能部７１ｃ、ガイダンス送出機能部７１ｄ、及びデータベース７１ｅを備えている。
【００３５】
図７ｂは、従来技術によるカスコン動作のシーケンスを示しており、ここで、その動作について説明する。
【００３６】
まず、ステップＳ７０１にて、着側端末７２から特定番号（カスコン番号）に発呼する。
【００３７】
次に、ステップＳ７０２にて、交換機７１はガイダンス送出機能部７１ｄにより、着側端末７２にガイダンス（例えば、“登録：１、削除：２、確認（登録の照会）：３”）を送出する。発ＩＤ（＃Ａ）に対応するリンガ及び着信表示音を登録したい場合には、対応する設定値（ここでは１）を返し、ガイダンス（例えば、“登録番号と、リンガ、着信表示音のなりわけパターンを入力して下さい”）を受信した後、リンガ（ＰＴ４）又は着信表示音（ＰＴｄ）を選択する。
【００３８】
その後、ステップＳ７０３にて、図７ｃに示すように、選択したリンガ（ＰＴ４）及び着信表示音（ＰＴｄ）がＤＢ７１ｅに登録される。
【００３９】
リンガ及び着信表示音を削除又は登録の確認（照会）する場合にも、同様なステップを経て処理を行う。例えば、登録の確認（照会）は、特定番号の発呼の後、受信したガイダンス（例えば、“登録：１、削除：２、確認（登録の照会）：３”）に従って、対応する設定値を返し（ここでは３）、更に受信したガイダンス（例えば、“確認したい番号を入力して下さい”）の指示に従って発ＩＤ（＃Ｃ）を返すと、図７ｄに示すＤＢ７１ｅを参照して、発ＩＤに対応するリンガ（ＰＴ２）及び着信表示音（ＰＴｂ）が着側端末７２に送出される。
【００４０】
このように、従来の電話網においては、なりわけサービスに必要な処理は全て交換機内部で行われていたため、他のサービスとの共用ができないという問題があった。
【００４１】
これに対して、本発明に係るなりわけサービスシステムは、他のサービスとも共用可能とするものであり、実施例１としてその基本構成を説明する。
【実施例１】
【００４２】
図１は、本実施例のなりわけサービスシステムを示している。本実施例のなりわけサービスシステム１０は、ＩＰ網内に、メディアゲートウェイコントローラ（ＭＧＣ）１１、メディアゲートウェイ（ＭＧ）１２及び１３、メディアサーバ１４、発側端末１５、着側端末１６を備える。
【００４３】
ここで、各構成要素の動作について詳細に説明する。
【００４４】
ＭＧ１２及び１３は、１つ以上の電話機（端末）が接続され、それらの端末との間で音声信号（ベアラ）の交換を行う。
【００４５】
ＭＧＣ１１は、ＭＧ１２及び１３の管理、制御を行い、呼制御機能部１１ｅにより呼制御を処理するとともに、なりわけを行うか否かの判定、及びリンガ又は着信表示音の選択を行う。
【００４６】
メディアサーバ１４は、呼び出し音などの音源機能を管理し、ＭＧＣ１１の指示に従って着信表示音又はガイダンスを着側端末１６に送出する。
【００４７】
発側端末１５及び着側端末１６は、それぞれ発呼、着呼する側の端末である。
【００４８】
判定機能部１１ａは、発側端末のＩＤと、データベース１１ｄに格納されているＩＤとを比較してなりわけを行うか否かを判定する。
【００４９】
選択機能部１１ｂは、ＩＤが一致してなりわけを行うと判定した場合に、データベース１１ｄを参照して、そのＩＤに対応するなりわけのリンガ又は着信表示音を選択するとともに、なりわけのリンガ又は着信表示音に対応する制御指示を発生する。
【００５０】
カスコン機能部１１ｃは、端末から予め設定された特定番号の受信に応答して、端末のＩＤ、リンガの種別又は着信表示音の種別に関するデータベースの登録、削除、又は登録の照会を制御する。
【００５１】
データベース１１ｄは、サービス対象の発側端末のＩＤと、そのＩＤに関連づけられたリンガの種別及び着信表示音の種別を記憶する。
【００５２】
リンガ送出機能部１２ａ及び１３ａは、なりわけのリンガの制御指示を受信して選択されたリンガを着側端末１６に送出する。
【００５３】
着信表示音送出機能部１４ａは、なりわけの着信表示音の制御指示を受信して選択された着信表示音を着側端末に送出する。
【００５４】
ガイダンス送出機能部１４ｂは、端末から予め設定された特定番号の受信に応答して、端末のＩＤ、リンガの種別又は着信表示音の種別に関する前記データベースの登録、削除、又は登録の照会を補助するガイダンスを送出する。
【００５５】
尚、発側端末１５が接続されたＭＧ１２のリンガ送出機能部１２ａは、必要に応じて構成される。
【００５６】
本実施例では、発側端末１５からの発呼が着側端末１６に着呼する際に、ＭＧＣ１１は、サービス対象の発側端末のＩＤとそのＩＤと関連づけられたリンガの種別又は着信表示音の種別とを記憶するデータベース１１ｄを有し、判定機能部１１ａにより発側端末１６のＩＤと前記データベースに格納されているＩＤとを比較してなりわけを行うか否かを判定し、ＩＤが一致してなりわけを行うと判定した場合、選択機能部１１ｂにより前記データベース１１ｄを参照してそのＩＤに対応するなりわけのリンガ又は着信表示音を選択するとともにリンガ又は着信表示音に対応する制御指示を送出し、なりわけのリンガの制御指示を受信した場合には、ＭＧ１３はリンガ送出機能部１３ａにより選択されたリンガを着側端末１６に送出し、なりわけの着信表示音の制御指示を受信した場合には、メディアサーバ１４は着信表示音送出機能部１４ａにより選択された着信表示音を着側端末１６に送出する。
【００５７】
本実施例のなりわけシステムは、特に、従来技術においては交換機に集約されていたなりわけサービスに必要な上記の機能を、ＩＰ網内の上記構成要素に分散して備えるもので、他のサービスでも共用可能となる。また、各ＭＧＣ等に分散して備えられた同一の機能は、それぞれ１つの装置に集約して提供することも可能である。
【００５８】
以下、実施例１のシステムの一部を実施する各実施例として、実施例２は「リンガなりわけ」、実施例３は「着信表示音なりわけ」、実施例４は「カスコン動作」について説明する。
【００５９】
まず、実施例２の「リンガなりわけ」について説明する。
【実施例２】
【００６０】
図２ａは、実施例２にかかるリンガなりわけシステムの構成を示している。本実施例のなりわけサービスシステム２０は、ＩＰ網内に、ＭＧＣ２１、ＭＧ２２及び２３、メディアサーバ２４、発側端末２５、着側端末２６を備える。ＭＧＣ２１、ＭＧ２２及び２３、及びメディアサーバ２４間は、ＩＰ網を介して通信される。
【００６１】
本実施例においては、なりわけサービスの機能として、ＭＧＣ２１は判定機能部２１ｂ、リンガ選択機能部２１ｃ、ＤＢ２１ｄを、ＭＧ２２（２３）はリンガ送出機能部２２ａ（２３ａ）を、メディアサーバ２４は音声リンガ送出機能部２４ａをそれぞれ備えている。また、呼を制御する機能として、ＭＧＣ２１は呼制御機能部２１ａを、ＭＧ２２（２３）はオフフック検出機能部２２ｂ（２３ｂ）及び呼処理／通話パス設定機能部２２ｃ（２３ｃ）をそれぞれ備えている。
【００６２】
各構成要素の動作について詳細に説明するが、実施例１と同様の構成要素は同様に機能する。即ち、実施例１のＭＧＣ１１、ＭＧ１２（１３）、メディアサーバ１４、発側端末１５及び着側端末１６は、本実施例のＭＧＣ２１、ＭＧＣ２２（２３）、メディアサーバ２４、発側端末２５、及び着側端末２６にそれぞれ対応する。また、実施例１の判定機能部１１ａ、選択機能部１１ｂ、データベース１１ｄ、及びリンガ送出機能部１２ａ（１３ａ）は、本実施例の判定機能部２１ｂ、選択機能部２１ｃ、データベース２１ｄ、リンガ送出機能部２２ａ（２３ａ）にそれぞれ対応する。
【００６３】
音声リンガ送出機能部２４ａは、着側端末２６に音声リンガを送出する。
【００６４】
呼制御機能部２１ａは、発側端末２５と着側端末２６との間の呼処理を制御する。
【００６５】
オフフック検出機能部２３ｂは、着側端末２６のオフフックを監視し、オフフックを検出すると、リンガ又は着信表示音を停止するとともに、オフフックされた旨をＭＧＣ２１に通知する。
【００６６】
呼処理／通話パス設定機能部２２ｃ（２３ｃ）は、呼処理を行い、発側端末２５と着側端末２６との間に通話パスを設定する。
【００６７】
尚、発側端末２５が接続されたＭＧ２２のリンガ送出機能部２２ａ及びオフフック検出機能部２２ｂは、必要に応じて構成される。
【００６８】
図２ｂは、本実施例によるリンガなりわけのシーケンスである。ここで、本実施例によるリンガなりわけについて説明する。
【００６９】
まず、ステップＳ２０１にて、発側端末２５からの発呼がＭＧＣ２１に着呼される。
【００７０】
次に、ステップＳ２０２にて、ＭＧＣ２１は判定機能部２１ｂにより、発ＩＤ（＃Ａ）と、図２ｃに例示するＤＢ２１ｄに格納されている発ＩＤとを比較して、なりわけを行うか否かを判定する。
【００７１】
ステップＳ２０２にてＩＤが一致してなりわけを行うと判定した場合、ステップＳ２０３では、ＭＧ２１は選択機能部２１ｃにより、図２ｃに例示するＤＢ２１ｄを参照して発ＩＤ（＃Ａ）に対応するなりわけのリンガ（ＰＴ１）を選択する。
【００７２】
続いて、ステップＳ２０４にて、ＭＧＣ２１は、選択したリンガ（ＰＴ１）を着側端末２６に送出するようＭＧ２３に指示する。
【００７３】
次に、ステップＳ２０５にて、ＭＧ２３はリンガ送出機能部２３ａにより、指示されたリンガ（ＰＴ１）を着側端末２６に送出する。
【００７４】
続くステップＳ２０６にて、ＭＧ２３はオフフック検出機能部２３ｂにより、着側端末２６のオフフックを検出するとリンガを停止するとともに、ＭＧＣ２１にオフフックされた旨を通知する。
【００７５】
その後、ステップＳ２０７にて、ＭＧＣ２１は、ＭＧ２３に発側端末２５と着側端末２６との間の通話パスを設定するように指示する。
【００７６】
最後に、ステップＳ２０８にて、ＭＧ２３は、指示された発側端末２５と着側端末２６との間に通話パスを設定し、通話が可能となる。
【００７７】
ステップＳ２０５にて送出されるなりわけのリンガは、ベルを鳴動させるベル式リンガの他に、任意の音声を音声リンガとして使用することができる。即ち、ＭＧＣ２１は、リンガの種別の１つに音声リンガを選択することができ、ＭＧ２３及びメディアサーバ２４に対して、ベル式リンガ又は音声リンガに対応する制御指示を発生することができる。なりわけリンガがベル式リンガの場合には、ＭＧＣ２１は、ベル式リンガを送出する制御指示をＭＧ２３に送出し、制御指示を受信したＭＧ２３は着側端末２６にベル式リンガを送出する。一方、なりわけリンガが音声リンガの場合には、ＭＧＣ２１は、ＭＧ２３とメディアサーバ２４との間に通話パスを設定するようにＭＧ２３に指示し、指示を受信したＭＧ２３は当該通話パスを設定するとともに無鳴動で着側端末２６に着呼する。次に、ＭＧＣ２１は、音声リンガを送出する制御指示をメディアサーバ２４に送出し、指示を受信したメディアサーバ２４は、着側端末２６の外部スピーカ（図示せず）と接続して選択された音声リンガを着側端末２６に送出する。
【００７８】
このように、本実施例によれば、必要な機能をＩＰ網内に分散して備えることによって、他のサービスとも共用可能なリンガなりわけを実現することができるようになる。
【００７９】
次に、実施例３の「着信表示音なりわけ」について説明する。
【実施例３】
【００８０】
図３ａは、実施例３にかかる、通話中に第３者から着呼があった場合に対する着信表示音なりわけサービスシステムの構成を示している。本実施例のなりわけサービスシステム３０は、ＩＰ網内に、ＭＧＣ３１、ＭＧ３２及び３３、メディアサーバ３４、発側端末３５、着側端末３６を備える。ＭＧＣ３１、ＭＧ３２及び３３、及びメディアサーバ３４間は、ＩＰ網を介して通信される。
【００８１】
本実施例においては、なりわけサービスの機能として、ＭＧＣ３１は判定機能部３１ｂ、着信表示音の選択機能部３１ｃ、ＤＢ３１ｄを、メディアサーバ３４は着信表示音送出機能部３４ａをそれぞれ備えている。また、呼を制御する機能として、ＭＧＣ３１は、呼制御機能部３１ａを、ＭＧ３２（３３）は、呼処理／通話パス設定機能部３２ａ（３３ａ）、通話パスのミキシング機能部３２ｂ（３３ｂ）、及びフッキング検出機能部３２ｃ（３３ｃ）をそれぞれ備えている。
【００８２】
各構成要素の動作について詳細に説明するが、実施例１，２と同様の構成要素は同様に機能する。即ち、実施例１のＭＧＣ１１、ＭＧ１２（１３）、メディアサーバ１４、発側端末１５及び着側端末１６は、本実施例のＭＧＣ３１、ＭＧＣ３２（３３）、メディアサーバ３４，発側端末３５、及び着側端末３６にそれぞれ対応する。また、実施例１の判定機能部１１ａ、選択機能部１１ｂ、データベース１１ｄ、着信表示音送出機能部１４ａ、実施例２の呼制御機能部２１ａ、及び呼処理／通話パス設定機能部２２ｃ（２３ｃ）は、本実施例の判定機能部３１ｂ、選択機能部３１ｃ、データベース３１ｄ、着信表示音送出機能部３４ａ、呼制御機能部３１ａ、及び呼処理／通話パス設定機能部３２ａ（３３ａ）にそれぞれ対応する。
【００８３】
ミキシング機能部３２ｂ（３３ｂ）は、通話パスが複数存在する場合に、それらの通話パスをミキシングする。
【００８４】
フッキング検出機能部３２ｃ（３３ｃ）は、端末のフッキングを監視し、フッキングを検出すると、その旨をＭＧＣに通知する。
【００８５】
図３ｂは、実施例３に対する着信表示音なりわけ動作のシーケンスである。ここで、本実施例による着信表示音なりわけ動作について説明する。
【００８６】
まず、ステップＳ３０１にて、発側端末３５と着側端末３６との間の通話中に、第３者の発側端末３７の発呼がＭＧＣ３１に着呼される。
【００８７】
次に、ステップＳ３０２にて、ＭＧＣ３１は判定機能部３１ｂにより、発ＩＤ（＃Ｃ）と、図３ｃに例示するＤＢ３１ｄに格納されている発ＩＤとを比較して、なりわけを行うか否かを判定する。
【００８８】
ステップＳ３０２にてＩＤが一致してなりわけを行うと判定した場合、ステップＳ３０３にて、ＭＧＣ３１は選択機能部３１ｃにより、ＤＢ３１ｄを参照して発ＩＤ（＃Ｃ）に対応するなりわけサービスに使用する着信表示音（ＰＴｂ）を選択する。
【００８９】
続いて、ステップＳ３０４にて、ＭＧＣ３１は、ＭＧ３３に着側端末３６とメディアサーバ３４との間に通話パスを設定し、発端末３５と着端末３６との通話パスにミキシングするように指示する。
【００９０】
次に、ステップＳ３０５では、ＭＧ３３は、着側端末３６とメディアサーバ３４との間に通話パスを設定し、設定された通話パスと、発側端末３５と着側端末３６との間の通話パスとをミキシングする（着側片方向へのミキシング）。
【００９１】
その後、ステップＳ３０６にて、ＭＧＣ３１は、メディアサーバ３４に選択した着信表示音（ＰＴｂ）の送出を指示する。
【００９２】
続いて、ステップＳ３０７にて、メディアサーバ３４は着信表示音送出機能部３４ａにより、指示された着信表示音（ＰＴｂ）を着側端末３６に送出する。
【００９３】
次に、ステップＳ３０８にて、ＭＧ３３に設けられたフッキング検出部３３ｃは、着側端末３６のフッキングを検出すると、その旨をＭＧＣ３１に通知する。
【００９４】
ステップＳ３０９にて、ＭＧＣ３１は、メディアサーバ３４に着信表示音の送出を停止するように指示する。
【００９５】
その後、ステップＳ３１０にて、ＭＧＣ３１は、ＭＧ３３に通話中のパスの保留と、着側端末３６とメディアサーバ３４との間の通話パスを着側端末３６と発側端末３７との通話パスへ張り替えるように指示する。
【００９６】
最後に、ステップＳ３１１にて、ＭＧ３３は、通話中の通話パスを保留し、着側端末３６と発側端末３７との通話パスへ張り替え、発側端末３７と着側端末３６との間で通話が可能となる。
【００９７】
このように、通話中に第３者から着呼があった場合に、着信表示音を着側端末に送信することによって着側端末のユーザにその旨を通知し、着側端末のフッキングを検出した場合に、通話中のパスを保留して着側端末と第３者との通話パスが設定される。
【００９８】
本実施例によれば、必要な機能をＩＰ網内に分散して備えることによって、他のサービスとも共用可能な着信表示音のなりわけサービスを実現することができるようになる。
【００９９】
最後に、実施例４の「カスコン動作」について説明する。
【実施例４】
【０１００】
図４ａは、実施例４にかかるカスコン動作システム４０の構成を示している。本実施例のカスコン動作システム４０は、ＩＰ網内に、ＭＧＣ４１、ＭＧ４３、メディアサーバ４４、着側端末４６を備える。ＭＧＣ４１、ＭＧ４３、及びメディアサーバ４４間は、ＩＰ網を介して通信される。
【０１０１】
本実施例においては、なりわけサービスの機能として、ＭＧＣ４１はカスコン機能部４１ｂ及びＤＢ４１ｃを、メディアサーバ４４はガイダンス送出機能部４４ａをそれぞれ備えている。また、呼を制御する機能として、ＭＧＣ４１は呼制御機能部４１ａを、ＭＧ４３は呼処理／通話パス設定機能部４３ａ、プッシュボタン（ＰＢ）／ダイヤルパルス（ＤＰ）受信翻訳機能部４３ｂを備えている。
【０１０２】
各構成要素の動作について詳細に説明するが、実施例１〜３と同様の構成要素は同様に機能する。即ち、実施例１のＭＧＣ１１、ＭＧ１３、メディアサーバ１４、着側端末１６は、本実施例のＭＧＣ４１、ＭＧＣ４３、メディアサーバ４４、着側端末４６にそれぞれ対応する。また、実施例１のカスコン機能１１ｃ、データベース１１ｄ、ガイダンス送出機能１４ｂ、実施例２の呼制御機能部２１ａ、及び呼処理／通話パス設定機能部２３ｃは、本実施例のカスコン機能４１ｂ、データベース４１ｃ、ガイダンス送出機能４４ａ、呼制御機能部４１ａ、及び呼処理／通話パス設定機能部４３ａにそれぞれ対応する。
【０１０３】
ＰＢ／ＤＰ受信翻訳機能部４３ｂは、ＰＢ信号又はＤＰ信号を受信して適した情報に翻訳する。
【０１０４】
図４ｂは、本実施例によるカスコン動作のシーケンスを示している。ここで、本実施例によるカスコン動作について説明する。
【０１０５】
まず、ステップＳ４０１にて、ユーザは着側端末４６を操作してオフフックし、特定番号（カスコン番号）に発呼することによって、ＭＧＣ４１のカスコン設定操作が開始される。
【０１０６】
次に、ステップＳ４０２にて、ＭＧＣ４１は、ＭＧ４３とメディアサーバ４４に対して着側端末４６とメディアサーバ４４との間に通話パスを設定するように指示する。
【０１０７】
続いて、ステップＳ４０３にて、ＭＧＣ４１は、発ＩＤ、リンガの種別又は着信表示音の種別に関するデータベース４１ｃの登録、削除、又は登録の照会を制御する。例えば、ＭＧＣ４１は、メディアサーバ４４に対して、着側端末４６にガイダンスを送出するように指示し、メディアサーバ４４はガイダンス送出機能部４４ａにより、指示されたガイダンス（例えば、“登録：１、削除：２、確認（登録の照会）：３”）を着側端末４６に送出する。ユーザは、着側端末４６を操作して、ガイダンスに従って実行したい操作に対応する設定値をＭＧ４３に返す。発ＩＤ（＃Ａ）に対応するリンガ又は着信表示音を登録したい場合には、対応する設定値（ここでは１）を返し、ガイダンス（例えば、“登録番号と、リンガ、着信表示音のなりわけパターンを入力して下さい”）を受信した後、リンガ（ＰＴ４）又は着信表示音（ＰＴｄ）を選択することができる。
【０１０８】
その後、ステップＳ４０４にて、ＭＧ４３はＰＢ／ＤＰ受信翻訳機能部４３ｂにより、発ＩＤ、リンガ又は着信表示音選択の設定値を受信して、ＭＧＣ４１に通知する。
【０１０９】
続いて、ステップＳ４０５にて、ＭＧＣ４１はカスコン機能部４１ｂにより、通知された発ＩＤ及びリンガ又は着信表示音の種別を、図４ｃに示すようにＤＢ４１ｃに登録するか、又はＤＢ４１ｃから削除する。
【０１１０】
この後、登録の確認（照会）を行う場合には、ステップＳ４０６にて、ユーザは着側端末４６を操作して設定値（ここでは３）をＭＧ４３に返し、ガイダンス（例えば、“確認したい番号を入力して下さい”）を受信した後に発ＩＤ（＃Ｃ）をＭＧ４３に返すと、ＭＧ４３はＰＢ／ＤＰ受信翻訳機能部４３ｂにより着側端末４６からの確認指示を受信して、その旨をＭＧＣ４１に通知する。
【０１１１】
続いて、ステップＳ４０７にて、ＭＧＣ４１は、発ＩＤ、リンガの種別又は着信表示音の種別に関するデータベース４１ｃの登録、削除、又は登録の照会を補助するガイダンスの送出を制御する。例えば、ＭＧＣ４１はカスコン機能部４１ｂにより、図４ｄに例示するＤＢ４１ｃから登録情報を取得し、メディアサーバ４４に登録情報を転送して着側端末４６にガイダンスを送出するように指示する。
【０１１２】
その後、ステップＳ４０８にて、メディアサーバ４４はガイダンス送出機能部４４ａにより、転送された登録情報をガイダンスとして着側端末４６に送出する。これにより、ユーザは着側端末４６を操作して、登録の確認（照会）を行うことができる。
【０１１３】
ステップＳ４０４において、メディアサーバ４３は、任意の音声のリンガ又は着信表示音を登録又は削除することもできる。これは、メディアサーバ４３との通話パスを使用して、ユーザが登録したい音声を着側端末４６から送信し、メディアサーバ４４に蓄積することで実現できる。また、ユーザからのなりわけ電話番号、リンガ／着信表示音選択の設定は、プッシュボタン（ＰＢ）ダイヤルパルス（ＤＰ）のほか、音声による設定（制御）も可能であり、これは、ＭＧ４３と音声認識装置（図示せず）との間に通話パスを設定し、音声認識結果をＭＧＣ４１に通知することで実現される。尚、音声認識装置も集約してＩＰ網に自由に備えることも可能である。
【０１１４】
また、本実施例の変形例として、カスコン機能部４１ｂ、及びＰＢ／ＤＰ受信翻訳機能部４３ｂをメディアサーバ４４に設けることも可能である。その際には、ステップＳ４０２にて、着側端末４６とメディアサーバ４４間で通話パスを設定後、該通話パスを介してメディアサーバ４４のガイダンス送出機能部４４ａによりガイダンスを送出し、ユーザの設定値を受信し、受信した設定値からＭＧＣ４１のＤＢ４１ｃを登録、削除、又は登録の照会を行うことで、カスコン動作を実現することができる。
【０１１５】
また、本実施例の変形例として、着側端末４６からのアクセスに応答して、ＭＧＣ４１と通信し、端末のＩＤ、リンガの種別又は着信表示音の種別に関するデータベースの登録、削除、又は登録の照会を制御するカスコン機能を有するサーバ（図示せず）をＩＰ網内に設けることができる。このサーバは、端末装置からのアクセスに応答して、ＭＧＣ４１と通信し、なりわけの設定（制御）を行うこともできる。ＩＰのアクセス方法としてはＷｅｂ，ｔｅｌｎｅｔなどが利用可能である。その際には、
（１）ユーザはＷｅｂ（又はｔｅｌｎｅｔなど）でサーバにアクセスし、
（２）カスコン機能部はＭＧＣ内のＤＢにアクセスして登録情報を取得し、得られた登録情報を表示し、
（３）ユーザはなりわけ発ＩＤ、リンガ又は着信表示音を選択し、
（４）カスコン機能部はＤＢに登録又は削除を行い、
（５）リンガ又は着信表示音を登録する場合はメディアサーバに音声ファイルを送信し、
（６）カスコン機能部はメディアサーバに着信表示音を登録する、
ことによって、なりわけ設定が可能となる。登録の内容を照会する場合も同様に行う。
【０１１６】
このように、本実施例のカスコン動作システムを使用して、ＩＰ網においてカスコン機能を動作させることができる。
【産業上の利用可能性】
【０１１７】
本発明によれば、リンガ又は着信表示音に関するサービスを他のサービスと共用可能となるので、ＩＰ網を経由する呼制御サービスの用途に有用である。
【０１１８】
以上、具体例を挙げて本発明を詳細に説明してきたが、本発明の特許請求の範囲から逸脱しない限りにおいて、あらゆる変形や変更が可能であることは当業者に明らかである。例えば、実施例１のなりわけシステムにおいて、データベース、判定機能部１１ａを有する判定サーバと、選択機能部１１ｂを有する選択サーバと、リンガ送出機能部１３ａを有するリンガ送出サーバと、着信表示音送出機能部１４ａを有する着信表示音送出サーバとを分散して備えることもできる。従って、本発明は上記の実施例に限定されるものではない。
【符号の説明】
【０１１９】
１０  なりわけサービスシステム
１１  メディアゲートウェイコントローラ
１１ａ  判定機能部
１１ｂ  選択機能部
１１ｃ  カスコン機能部
１１ｄ  データベース
１１ｅ  呼制御機能部
１２  メディアゲートウェイ
１２ａ  リンガ送出機能部
１３  メディアゲートウェイ
１３ａ  リンガ送出機能部
１４  メディアサーバ
１４ａ  着信表示音送出機能部
１４ｂ  ガイダンス送出機能部
１５  発側端末
１６  着側端末
２０  リンガなりわけサービスシステム
２１  メディアゲートウェイコントローラ
２１ａ  呼制御機能部
２１ｂ  判定機能部
２１ｃ  選択機能部
２１ｄ  データベース
２２  メディアゲートウェイ
２２ａ  リンガ送出機能部
２２ｂ  オフフック検出機能部
２２ｃ  呼処理／通話パス設定機能部
２３  メディアゲートウェイ
２３ａ  リンガ送出機能部
２３ｂ  オフフック検出機能部
２３ｃ  呼処理／通話パス設定機能部
２４  メディアサーバ
２４ａ  音声リンガ送出機能部
２５  発側端末
２６  着側端末
３０  着信表示音なりわけサービスシステム
３１  メディアゲートウェイコントローラ
３１ａ  呼制御機能部
３１ｂ  判定機能部
３１ｃ  選択機能部
３１ｄ  データベース
３２  メディアゲートウェイ
３２ａ  呼処理／通話パス設定機能部
３２ｂ  ミキシング機能部
３２ｃ  フッキング検出機能部
３３  メディアゲートウェイ
３３ａ  呼処理／通話パス設定機能部
３３ｂ  ミキシング機能部
３３ｃ  フッキング検出機能部
３４  メディアサーバ
３４ａ  着信表示音送出機能部
３５  発側端末
３６  着側端末
３７  発側端末
４０  カスコン動作システム
４１  メディアゲートウェイコントローラ
４１ａ  呼制御機能部
４１ｂ  カスコン機能部
４１ｃ  データベース
４３  メディアゲートウェイ
４３ａ  呼処理／通話パス設定機能部
４３ｂ  ＰＢ／ＤＰ受信翻訳機能部
４４  メディアサーバ
４４ａ  ガイダンス送出機能部
４６  着側端末
５０  なりわけサービスシステム
５１  交換機
５１ａ  リンガ送出機能部
５１ｂ  着信表示音送出機能部
５１ｃ  ガイダンス送出機能部
５１ｄ  判定機能部
５１ｅ  選択機能部
５１ｆ  データベース
５１ｇ  カスコン機能部
５１ｈ  呼制御機能部
５２  交換機
５２ａ  リンガ送出機能部
５２ｂ  着信表示音送出機能部
５２ｃ  ガイダンス送出機能部
５２ｄ  判定機能部
５２ｅ  選択機能部
５２ｆ  データベース
５２ｇ  カスコン機能部
５２ｈ  呼制御機能部
５３  発側端末
５４  着側端末
６０  リンガなりわけサービスシステム
６１  交換機
６１ａ  リンガ送出機能部
６１ｂ  呼制御機能部
６１ｃ  オフフック検出機能部
６１ｄ  判定機能部
６１ｅ  選択機能部
６１ｆ  データベース
６２  交換機
６２ａ  リンガ送出機能部
６２ｂ  呼制御機能部
６２ｃ  オフフック検出機能部
６２ｄ  判定機能部
６２ｅ  選択機能部
６２ｆ  データベース
６３  発側端末
６４  着側端末
７０  カスコン動作システム
７１  交換機
７１ａ  呼制御機能部
７１ｂ  ＰＢ／ＤＰ受信翻訳機能部
７１ｃ  カスコン機能部
７１ｄ  ガイダンス送出機能部
７１ｅ  データベース
７２  着側端末
【図１】
2010263309.tif 000003
【図２ａ】
2010263309.tif 000004
【図２ｂ】
2010263309.tif 000005
【図２ｃ】
2010263309.tif 000006
【図３ａ】
2010263309.tif 000007
【図３ｂ】
2010263309.tif 000008
【図３ｃ】
2010263309.tif 000009
【図４ａ】
2010263309.tif 000010
【図４ｂ】
2010263309.tif 000011
【図４ｃ】
2010263309.tif 000012
【図４ｄ】
2010263309.tif 000013
【図５】
2010263309.tif 000014
【図６ａ】
2010263309.tif 000015
【図６ｂ】
2010263309.tif 000016
【図６ｃ】
2010263309.tif 000017
【図７ａ】
2010263309.tif 000018
【図７ｂ】
2010263309.tif 000019
【図７ｃ】
2010263309.tif 000020
【図７ｄ】
2010263309.tif 000021